(57)【要約】      （修正有）【課題】スライドファスナーを介して開放した着脱開口を通して、使用者が容易に着脱できるようにしたウエットスーツを提供する。【解決手段】伸縮性素材によって人体形状に一体に縫製されたウエットスーツ１において、伸縮性素材２に、その背面側の襟部から左右一方の腰部を経て股部にほぼ対応する位置の前面側の大腿部にかけて着脱開口２ｘを形成するとともに、この着脱開口２ｘを挟む左右の伸縮性素材の裏面にわたって着脱開口２ｘを開閉するスライドファスナーを設ける。【選択図】図２
0003168035.tif 000002
【実用新案登録請求の範囲】
【請求項１】
伸縮性素材によって人体形状に一体に縫製されたウエットスーツにおいて、伸縮性素材に、その背面側の襟部から左右一方の腰部を経て股部にほぼ対応する位置の前面側の大腿部にかけて着脱開口を形成するとともに、この着脱開口を挟む左右の伸縮性素材の裏面にわたって着脱開口を開閉するスライドファスナーを設けることを特徴とするウエットスーツ。
【請求項２】
請求項１に記載のウエットスーツにおいて、前記着脱開口を挟んで対向する左右の伸縮性素材の端縁部をカバーによってそれぞれ包み込むことを特徴とするウエットスーツ。
【考案の詳細な説明】
【技術分野】
【０００１】
この考案は、ダイビングやサーフィンなどのマリンスポーツに使用されるウエットスーツに関するものである。
【背景技術】
【０００２】
一般に、ウエットスーツは、クロロプレンゴムなどの伸縮性素材によって人体形状に一体に縫製して形成されている。そして、ウエットスーツには、襟部から下方に延びる着脱開口が形成されるとともに、着脱開口を開閉するスライドファスナーが設けられており、ウエットスーツの着脱に際しては、スライドファスナーを開放操作することで襟部から延びる着脱開口を形成した後、着脱開口を通して脚から下半身を挿入し、あるいは、尻から下半身を脱ぐようにしている。
【０００３】
このようなウエットスーツ１００の着脱開口１０１ｘとしては、例えば、背面側において、伸縮性素材１０１の襟部から腰部にかけてほぼ背骨に沿って直線状に形成することが提案され、知られている（図５、図６参照）。
【考案の概要】
【考案が解決しようとする課題】
【０００４】
ところで、ウエットスーツの着脱開口を開閉するためにスライドファスナーが設けられることから、スライドファスナーが設けられる長さ方向において、伸縮性素材の伸縮が制約されるという欠点がある。例えば、サーフィンにおいて、サーファーが身を屈めた場合に、ファスナーが背骨に沿って伸びないため、身を屈めようとするサーファーの動きを妨げたり、サーファーの首や股を締め付けるものとなる。逆に、サーファーが弓なりになったときには、スライドファスナーが縮まないため、首部がサーファーの首の後側に乗り上げるといった不快な着用状態を強いられるものとなる。
【０００５】
また、スライドファスナーを開放操作した際にウエットスーツの着脱開口が襟部から腰部にかけて形成されることから、ウエットスーツの腰部をその弾性に抗して押し開きながら尻を乗り越えて着用しなければならず、あるいは、脱がなければならず、使用者の腰と尻との大きなギャップを乗り越えてウエットスーツを着脱することが容易でないという問題があった。
【０００６】
しかも、伸縮性素材が伸長するのに対してスライドファスナーは伸長しないことから、使用者の屈伸の都度、スライドファスナーの下端部と伸縮性素材との縫製部分に引張力が繰り返し作用することになり、経年使用によってスライドファスナーの下端部と伸縮性素材との縫製部分が破断するものとなる。
【０００７】
なお、ウエットスーツの着脱開口を襟部から左右一方の腰部にかけて背面側に傾斜状態で形成することにより、伸縮性素材の背面下部における伸縮性を確保することも提案されているが、依然としてウエットスーツの着脱が容易でなく、時間がかかる他、スライドファスナーの下方に伸長する伸縮性素材が連続して設けられていることに変わりはなく、経年使用によってスライドファスナーの下端部と伸縮性素材との縫製部分が破断するという問題は解決されていないものである。
【０００８】
本考案は、このような問題点に鑑みてなされたもので、スライドファスナーを介して開放した着脱開口を通して使用者が容易に着脱することのできるウエットスーツを提供するものである。
【課題を解決するための手段】
【０００９】
本考案は、伸縮性素材によって人体形状に一体に縫製されたウエットスーツにおいて、伸縮性素材に、その背面側の襟部から左右一方の腰部を経て股部にほぼ対応する位置の前面側の大腿部にかけて着脱開口を形成するとともに、この着脱開口を挟む左右の伸縮性素材の裏面にわたって着脱開口を開閉するスライドファスナーを設けることを特徴とするものである。
【００１０】
本考案によれば、伸縮性素材の背面側の襟部から左右一方の腰部を経て股部に略対応する位置の前面側の大腿部にかけて着脱開口を形成することにより、スライドファスナーを開放操作することで、使用者の股にほぼ対応する位置にわたる大きな着脱開口を形成することができる。これにより、使用者は、着脱開口を通してウエットスーツの下半身部に脚を挿入するとともに、下半身部を引き上げてほぼ抵抗なく尻を乗り越えることができ、容易に着用することができる。また、ウエットスーツの下半身部を引き下げてほぼ抵抗なく尻を乗り越えることができ、下半身部を脚から降ろして容易に脱ぐことができる。
【００１１】
なお、スライドファスナーは、前述した着脱開口に沿って設けられることから、伸縮性素材の背面側下部における伸縮性を妨げることがなく、着用者の屈伸に追従して背面側下部を伸縮させることができる。また、スライドファスナーの下端は、使用者の屈伸によって伸縮性素材の伸縮がほとんど発生しない前面側の大腿部に位置することから、スライドファスナーの下端部と伸縮性素材との縫製部分に伸縮性素材の伸長による引張力が作用することはなく、スライドファスナーの下端部と伸縮性素材との縫製部分が破断することを長期にわたって防止することができる。
【００１２】
ここで、スライドファスナーの開閉操作は、スライダーの引手にリードを連結し、リードを掴んで背中越しに引上げ、あるいは、引下げてスライダーを移動させることにより実行することができる。
【００１３】
本考案において、前記着脱開口を挟んで対向する左右の伸縮性素材の端縁部をカバーによってそれぞれ包み込むことが好ましい。これにより、伸縮性素材の裁断による端面の隅角部が露出することがなく、伸縮性素材の端縁部をスライドファスナーが咬み込むことを防止できる。
【考案の効果】
【００１４】
本考案によれば、スライドファスナーを介して開放した着脱開口を通して使用者が容易に着脱することができる。
【図面の簡単な説明】
【００１５】
【図１】本考案のウエットスーツの一実施形態を示す正面図である。
【図２】図１のウエットスーツの背面図である。
【図３】図１のウエットスーツのスライドファスナーを一部拡大して示す背面図である。
【図４】図３のＡ−Ａ線による切断面を模式的に示す説明図である。
【図５】従来のウエットスーツを示す正面図である。
【図６】図５のウエットスーツの背面図である。
【考案を実施するための形態】
【００１６】
以下、本考案の実施の形態を図面に基づいて説明する。
【００１７】
図１および図２には、本考案のウエットスーツ１の一実施形態が示されている。
【００１８】
このウエットスーツ１は、軟質ゴムなどの伸縮性素材２、例えば、クロロプレンゴムを人体各部に対応して複数のパーツに裁断し、それらを一体に縫製して人体形状に形成されている。そして、ウエットスーツ１には、伸縮性素材２における背面側の襟部から右側の腰部を経て前面側に回り込み、ほぼ股部に対応する位置の右大腿部にかけて緩やかな円弧状に延びる着脱開口２ｘが形成されている。そして、ウエットスーツ１には、着脱開口２ｘを開閉できるように、着脱開口２ｘを挟む左右の伸縮性素材２の裏面にわたってスライドファスナー３が縫製されている。
【００１９】
ここで、スライドファスナー３は、図３および図４に示すように、テープ３１に金属製や樹脂製の多数のエレメント（務歯）３２を取り付けるとともに、左右対になったエレメント３２の間でスライダー３３を引手３４を介して移動させることにより、左右の対向するエレメント３２が噛み合って閉じる一方、スライダー３３を逆に移動させることにより、噛み合った左右のエレメント３２が離れ、開く周知の構造である。そして、スライドファスナー３は、左右のテープ３１が、着脱開口２ｘを挟んで対向する左右の伸縮性素材２の端縁部近傍の裏面側において、着脱開口２ｘの上端から下端にわたってそれぞれ縫製されている。
【００２０】
したがって、スライドファスナー３のスライダー３３を移動させ、エレメント３２を噛み合わせて閉じれば、着脱開口２ｘは閉じたスライドファスナー３によって閉鎖され、また、スライダー３を逆方向に移動させ、エレメント３２を離して開けば、着脱開口２ｘは開いたスライドファスナー３を通して開放され、使用者は着脱開口２ｘを通してウエットスーツ１を着脱することができる。
【００２１】
なお、スライドファスナー３におけるスライダー３３の引手３４には、設定長さのリード４が連結されており、リード４を掴んで背中越しに上方に引き上げることにより、スライダー３３が引き上げられてスライドファスナー３を閉じることができ、また、逆に、リード４を下方に引き下げることにより、スライダー３３が引き下げられてスライドファスナー３を開くことができる。
【００２２】
一方、着脱開口２ｘを挟んで対向する左右の伸縮性素材２の端縁部は、着脱開口２ｘの上端から下端にわたってカバー２１によって包み込まれて縫製されており、スライドファスナー３のスライダー３３が伸縮性素材２の端縁部を咬み込むことを防止している。すなわち、伸縮性素材２は、２〜３ｍｍ程度の厚みを有しており、着脱開口２ｘに対応して伸縮性素材２を裁断した際に隅角部を有する端面が形成される。このため、スライダー３３を移動させると、伸縮性素材２の端面の表面側あるいは裏面側の隅角部を咬み込むことが発生し得るが、伸縮性素材２の端縁部をカバー２１が包み込んで覆うことにより、伸縮性素材２の端面の隅角部が露出せず、スライダー３３による伸縮性素材２の端縁部の咬み込みを確実に防止することができる。
【００２３】
また、スライドファスナー３のエレメント３２およびスライダー３３が背中などに直接接触するのを防止するため、着脱開口２ｘを挟む左右の伸縮性素材２のうち、一方の伸縮性素材２の端縁部近傍の裏面側には、伸縮性素材製のフラップ５が、着脱開口２ｘの上端から下端にわたる長さと、他方のテープ３１を越える位置まで延びる幅を有して一方のテープ３１とともに縫製されている。具体的には、フラップ５は、他方のテープ３１を越える位置で折り返されて二重に形成されており、折り重ねられた二重の自由端縁部が一方の伸縮性素材２の端縁部近傍に縫製されている。したがって、フラップ５には、裁断による端面の隅角部がスライドファスナー３のスライダー３３に臨んで存在しない。このため、スライドファスナー３のスライダー３３を移動させる際、スライダー３３がフラップ５を咬み込むことを確実に防止できる。また、フラップ５は、折り返されて二重に形成されることにより、厚みを増加させて背中の窪みを埋めることができる。
【００２４】
なお、フラップ５としては、平板状の伸縮性素材を折り返して二重に形成する他、円筒状の伸縮性素材を平板状に畳んで形成してもよい。
【００２５】
次に、このように構成されたウエットスーツ１の着脱作業について説明する。
【００２６】
まず、使用者は、スライドファスナー３のスライダー３３をリード４を利用して引き下げ、スライドファスナー３を開いて着脱開口２ｘを開放する。そして、ウエットスーツ１の脚部にそれぞれ左右の脚を開放した着脱開口２ｘを通して順に挿入するとともに、脚部を左右の脚に沿うように引き上げた後、尻に対応する部分をやや押し開いて尻を乗り越えさせる。この際、着脱開口２ｘの下端は、股部に略対応する位置の大腿部にあることから、使用者のヒップ回りにほぼ一致する開口が形成されており、ほとんど抵抗なく尻を乗り越えることができる。
【００２７】
ウエットスーツ１に下半身を挿入したならば、左右の腕を腕部に順に挿入した後、リード４を肩に回し、背中越しに引き上げれば、スライダー３３が上方に移動し、エレメント３２を噛み合わせて閉じることから、着脱開口２ｘを閉じたスライドファスナー３によって閉鎖することができる。
【００２８】
ここで、スライドファスナー３のスライダー３３の移動に際して、スライダー３３が着脱開口２ｘを挟んで対向する左右の伸縮性素材２の端縁部、あるいは、フラップ５と咬み込むことを防止して円滑に着脱開口２ｘを閉鎖することができる。すなわち、ウエットスーツ１の着用時においては、着脱開口２ｘがスライダー３３を起点として略三角形状に開口し、フラップ５の折り返し端縁部がスライダー３３と対向する位置関係が発生し得るが、フラップ５の折り返し端縁部に隅角部は存在せず、スライダー３３がフラップ５を咬み込むことを確実に防止できる。また、左右の伸縮性素材２の端縁部はカバー２１によって包み込まれて端面の隅角部が露出せず、スライダー３３が左右の伸縮性素材２の端縁部を咬み込むことを確実に防止できる。これにより、使用者は、ウエットスーツ１を着用する際において、咬み込みによる中断を発生させることなくスライドファスナー３を円滑に操作することができ、第三者に咬み込みを解除してもらうといった煩わしさから解放されるとともに、使用者一人であっても安心して着用することができる。
【００２９】
なお、スライドファスナー３の操作が終了すれば、詳細には図示しないが、襟部の一端部をスライドファスナー３のスライダー３３を覆うように巻き回し、面ファスナーを利用して止着する。
【００３０】
ところで、ウエットスーツ１を着用してマリンスポーツを行なう場合、スライドファスナー３の下端は、使用者が屈伸しても伸縮性素材２がほとんど伸縮することのない前面側の大腿部に位置することから、スライドファスナー３の下端部と伸縮性素材２との縫製部分に伸縮性素材２の伸長による引張力が作用することはない。これにより、スライドファスナーの下端部と伸縮性素材との縫製部分が破断することを長期にわたって防止することができる。
【００３１】
一方、ウエットスーツ１を脱ぐ場合には、前述とは逆に操作すればよい。具体的には、襟部の止着を解除した後、リード４を掴んで背中越しに引き下げ、スライダー３３を下方に移動させることにより、エレメント３２の噛み合いを解除してスライドファスナー３を開き、背面側の襟部から前面側の大腿部にかけて大きな着脱開口２ｘを形成する。次いで、ウエットスーツ１の腕部から左右の腕を順に抜き出した後、その尻に対応する部分を若干押し広げながら尻を乗り越えるように引き下げる。さらに、ウエットスーツの尻に対応する部分が尻を乗り越えたならば、左右の脚を順に脚部から抜き出せばよい。
【００３２】
このようなウエットスーツ１の離脱に際しても、スライドファスナー３のスライダー３３を移動させるとき、スライダー３３が左右の伸縮性素材２の端縁部やフラップ５と咬み込むことはなく、また、尻を容易に乗り越えることができることは前述した通りである。      
【００３３】
なお、前述した実施形態においては、背面側の襟部から右側の腰部を経て前面側の右大腿部に回り込む着脱開口２ｘを形成する場合を例示したが、襟部から左側の腰部を経て前面側の左大腿部に回り込む着脱開口２ｘであっても構わない。
【００３４】
また、前述した実施形態においては、主に背面側に形成した着脱開口２ｘに対応してフラップ５を設けた場合を例示したが、スライドファスナー３を介して開閉する着脱開口であれば、スライドファスナー３の咬み込み防止するために任意の着脱開口に対応してフラップを設けることができる。すなわち、使用者の腕や脚を着脱するに際して、上腕と前腕のギャップ、あるいは、上腿と下腿のギャップを乗り越え易くするために、ウエットスーツ１の腕部や脚部に着脱開口を形成するとともに、これらの着脱開口をスライドファスナー３を介して開閉することができるが、このような場合において、スライドファスナー３のスライダー３３の咬み込みを防止するため、その裏面側にフラップ５を設けることが好ましい。
【符号の説明】
【００３５】
１  ウエットスーツ
２  伸縮性素材
２ｘ  着脱開口
２１  カバー
３  スライドファスナー
４  リード
５  フラップ
【図１】
0003168035.tif 000003
【図２】
0003168035.tif 000004
【図３】
0003168035.tif 000005
【図４】
0003168035.tif 000006
【図５】
0003168035.tif 000007
【図６】
0003168035.tif 000008